(57)【要約】【課題】  サービスレベルを低下させずに画像データを送信することが可能な画像送信システム及び画像送信方法を提供する。【解決手段】  設定情報格納部１９は、画像データ受信時に変換を行うべき形式の形式情報を予め格納している。データ受信部１０が送信元端末２から画像データを受信すると、変換サーバ３０がこの画像データを設定情報格納部１９の示す形式に変換する。変換後の画像データはデータ格納部２６に格納される。その後、要求受信部１４が画像データの送信要求を送信先端末３から受け付ける。送信先端末３にて表示可能な形式の画像データがデータ格納部２６に格納されている場合には、送信部２０がこれを送信する。一方、送信先端末３にて表示可能な形式の画像データがデータ格納部２６に格納されていない場合には、変換サーバ３０がかかる形式に変換し、変換後の画像データを送信部２０が送信する。【選択図】  図１
2006148590.tif 000002
【特許請求の範囲】
【請求項１】
送信元端末から送信先端末へ送信される画像データを受信し、当該受信した画像データを前記送信先端末で表示可能な形式に準拠した送信画像データとして送信する画像送信システムであって、
送信元端末から送信される前記画像データを受信する受信手段と、
当該受信した際に前記画像データを、当該受信時に準拠している形式とは異なる形式に準拠した画像データに変換する変換手段と、
当該変換後の画像データ及び前記受信手段が受信した画像データを送信画像データの候補として格納するデータ格納手段と、
前記送信画像データの送信要求を前記送信先端末から受け付ける受付手段と、
当該受け付けに応じて、前記データ格納手段に格納されている画像データから送信画像データを選択して前記送信先端末に送信する送信手段と、
を備え、
前記送信手段は、前記データ格納手段に格納されている画像データが前記送信先端末にて表示可能な形式に準拠していない場合には、前記変換手段に、前記受信手段が受信した画像データを前記送信先端末にて表示可能な形式に変換させ、当該変換後の送信画像データを送信することを特徴とする画像送信システム。
【請求項２】
前記変換手段にて変換されるべき形式を特定するための形式情報を格納する設定格納手段と、
前記設定格納手段に格納された形式情報を書き換える書換手段と、
を更に備え、
前記変換手段は、前記受信手段が前記画像データを受信した際に、当該画像データを前記設定格納手段に格納された形式情報の示す形式に準拠した画像データに変換することを特徴とする請求項１記載の画像送信システム。
【請求項３】
送信元端末から送信先端末へ送信される画像データを受信し、当該受信した画像データを前記送信先端末で表示可能な形式に準拠した送信画像データとして送信する画像送信方法であって、
送信元端末から送信される前記画像データを受信する受信ステップと、
当該受信した際に前記画像データを、当該受信時に準拠している形式とは異なる形式に準拠した画像データに変換する第１変換ステップと、
当該変換後の画像データ及び前記受信ステップにて受信した画像データを送信画像データの候補として格納するデータ格納ステップと、
前記送信画像データの送信要求を前記送信先端末から受け付ける受付ステップと、
当該受け付けに応じて、前記データ格納ステップで格納されている画像データが前記送信先端末にて表示可能な形式に準拠している場合には、当該画像データを送信画像データとして取得し、前記データ格納ステップで格納されている画像データが前記送信先端末にて表示可能な形式に準拠していない場合には、前記受信ステップにて受信した画像データを前記送信先端末にて表示可能な形式に変換し、当該変換後の送信画像データを取得する第２変換ステップと、
当該取得した送信画像データを前記送信先端末に送信する送信ステップと、
を備えることを特徴とする画像送信方法。
【発明の詳細な説明】
【技術分野】
【０００１】
本発明は、画像送信システム及び画像送信方法に関する。
【背景技術】
【０００２】
従来、送信元端末から受信した画像データを格納しておき、送信先端末から送信要求を受け付けた時に、格納した画像データを送信先端末にて表示可能な形式に変換して送信するシステムが提供されている（例えば、下記特許文献１参照。）。
【特許文献１】特開２００１−２１７８６０号公報
【発明の開示】
【発明が解決しようとする課題】
【０００３】
上述したシステムでは、送信要求を受けた後に画像データの変換を行う。そのため、変換に長い時間を要する場合には、送信先端末のユーザに長い待ち時間を強いることとなる。このような待ち時間は、サービスレベルの低下につながってしまう。
【０００４】
一方、受信した画像データを常に受信時に変換するとした場合には、送信先端末側における待ち時間の問題は無くなるが、変換後の画像データを格納するメモリあるいはディスク等が不足する可能性が生じる。その結果、やはりサービスレベルが低下してしまう。
【０００５】
そこで本発明は、サービスレベルを低下させずに画像データを送信することが可能な画像送信システム及び画像送信方法を提供することを目的とする。
【課題を解決するための手段】
【０００６】
本発明の画像送信システムは、送信元端末から送信先端末へ送信される画像データを受信し、当該受信した画像データを送信先端末で表示可能な形式に準拠した送信画像データとして送信する画像送信システムであって、（１）送信元端末から送信される画像データを受信する受信手段と、（２）当該受信した際に画像データを、当該受信時に準拠している形式とは異なる形式に準拠した画像データに変換する変換手段と、（３）当該変換後の画像データ及び受信手段が受信した画像データを送信画像データの候補として格納するデータ格納手段と、（４）送信画像データの送信要求を送信先端末から受け付ける受付手段と、（５）当該受け付けに応じて、データ格納手段に格納されている画像データから送信画像データを選択して送信先端末に送信する送信手段と、を備え、送信手段は、データ格納手段に格納されている画像データが送信先端末にて表示可能な形式に準拠していない場合には、変換手段に、受信手段が受信した画像データを送信先端末にて表示可能な形式に変換させ、当該変換後の送信画像データを送信することを特徴とする。
【０００７】
また、本発明の画像送信方法は、送信元端末から送信先端末へ送信される画像データを受信し、当該受信した画像データを送信先端末で表示可能な形式に準拠した送信画像データとして送信する画像送信方法であって、（ａ）送信元端末から送信される画像データを受信する受信ステップと、（ｂ）当該受信した際に画像データを、当該受信時に準拠している形式とは異なる形式に準拠した画像データに変換する第１変換ステップと、（ｃ）当該変換後の画像データ及び受信ステップにて受信した画像データを送信画像データの候補として格納するデータ格納ステップと、（ｄ）送信画像データの送信要求を送信先端末から受け付ける受付ステップと、（ｅ）当該受け付けに応じて、データ格納ステップで格納されている画像データが送信先端末にて表示可能な形式に準拠している場合には、当該画像データを送信画像データとして取得し、データ格納ステップで格納されている画像データが送信先端末にて表示可能な形式に準拠していない場合には、受信ステップにて受信した画像データを送信先端末にて表示可能な形式に変換し、当該変換後の送信画像データを取得する第２変換ステップと、（ｆ）当該取得した送信画像データを送信先端末に送信する送信ステップと、を備えることを特徴とする。
【０００８】
このように、本発明の画像送信システム及び画像送信方法では、送信元端末から画像データを受信すると、かかる画像データを受信時に準拠している形式とは異なる形式に変換する。そして、変換後の画像データをデータ格納手段に格納する。これにより、例えば、変換処理に時間がかかる形式の変換を、画像データ受信時に行うことができる。
【０００９】
その後、送信先端末から送信要求を受け付けると、既に格納されている画像データの中に送信先端末にて表示可能なものがあればそれを取得し、送信画像データとして送信先端末に送信する。既に格納されている送信画像データの中に送信先端末にて表示可能なものがない場合には、送信元端末から受信した画像データを送信先端末にて表示可能なものに変換し、変換後の画像データを送信画像データとして送信先端末に送信する。これにより、設定格納手段に（あるいは設定格納ステップにて）適切な画像データが格納されていない場合には、送信先端末から送信要求を受け付けた後に変換することができる。
【００１０】
つまり、本発明によれば、送信元端末から画像データを受信した時、及び送信先端末から送信要求を受けた時、の２つのタイミングで画像データの変換が行える。一部の形式への変換を画像データ受信時に行うので、送信先端末のユーザに常に長い待ち時間を強いる、といったことがなくなる。その他の形式への変換は送信要求があった場合に行うので、受信した画像データを常に受信時に変換する必要がなくなり、画像データを格納するメモリあるいはディスクを有効に利用することができる。したがって、サービスレベルを低下させずに画像データを送信することが可能となる。
【００１１】
また、本発明の画像送信システムでは、変換手段にて変換されるべき形式を特定するための形式情報を格納する設定格納手段と、設定格納手段に格納された形式情報を書き換える書換手段と、を更に備え、変換手段は、受信手段が画像データを受信した際に、当該画像データを設定格納手段に格納された形式情報の示す形式に準拠した画像データに変換することが好ましい。
【００１２】
このように、設定格納手段に格納された形式情報は、受信手段が画像データを受信した際における変換に用いられる。この設定格納手段は書換え可能であるため、システム運用後であっても、形式情報の追加及び削除を行うことができる。したがって、より有用なシステムを提供することができる。
【発明の効果】
【００１３】
本発明の画像送信システム及び画像送信方法によれば、サービスレベルを低下させずに画像データを送信することができる。
【発明を実施するための最良の形態】
【００１４】
本発明の知見は、例示のみのために示された添付図面を参照して以下の詳細な記述を考慮することによって、容易に理解することができる。引き続いて、添付図面を参照しながら本発明の実施の形態を説明する。可能な場合には、同一の部分には同一の符号を付して、重複する説明を省略する。
【００１５】
図１は、本発明の実施形態に係る画像送信システム１の構成を示す図である。画像送信システム１は、送信元端末２と送信先端末３との間で画像データをやり取りする際に用いられるサーバシステムである。画像送信システム１は、送信元端末２及び送信先端末３と移動体通信網（図示しない）を介して情報通信可能なように構成されている。
【００１６】
送信元端末２は、送信元のユーザによって使用される移動通信端末である。送信元端末２は電子メールの送受信機能を有しており、電子メールに添付するという形で、画像データの送信を行うことができる。
【００１７】
送信先端末３は、送信先のユーザによって使用される移動通信端末である。送信先端末３は、電子メールの送受信機能の他、移動体通信網を介して画像送信システム１から画像データを受信し、受信した画像データをディスプレイ上に表示する機能を有している。
【００１８】
画像送信システム１は、データ受信部１０（受信手段）、形式情報格納部１３、要求受信部１４（受付手段）、形式判断部１６、変換要求部１８、設定情報格納部１９（設定格納手段）、送信部２０（送信手段）、データ格納部２６（データ格納手段）、書換部２８（書換手段）、及び変換サーバ３０（変換手段）を有している。
【００１９】
データ受信部１０は、送信元端末２から画像データを受信する部分である。データ受信部１０は、送信元端末２から受信した画像データを、受信画像データとして変換要求部１８に出力する。
【００２０】
要求受信部１４は、送信画像データの送信要求を送信先端末３から受信する部分である。ここで、送信画像データとは、送信先端末で表示可能な形式に準拠した画像データを指す。送信要求には送信先端末３の機種を示す機種情報が含まれている。要求受信部１４は、受信した送信要求から機種情報を取得し、この機種情報を形式判断部１６に出力する。
【００２１】
形式判断部１６は、送信先端末３にて表示可能な画像データの形式を判断する部分である。ここでいう形式とは、ファイルサイズや解像度、符号化方式等により特定されるものである。形式判断部１６は、要求受信部１４から機種情報を受け取る。そして、この機種情報から送信先端末３の機種を判別し、形式情報格納部１３を参照する。図２は、形式情報格納部１３に格納されている情報の例を示す図である。図２に示す例によれば、形式情報格納部１３には、画像データの各形式を特定するための形式情報と、この形式に準拠した画像データを表示可能な端末の機種と、に関する情報が格納されている。例えば、形式Ｆ１に準拠した画像データは、機種Ａ，Ｂ，Ｃに属する通信端末において表示が可能である。形式判断部１６は、この形式情報格納部１３を参照し、判別した送信先端末３の機種にて表示可能な形式の形式情報を特定する。形式判断部１６は、特定した形式情報を送信形式情報として変換要求部１８に出力する。
【００２２】
変換要求部１８は、受信画像データを準拠する形式とは異なる形式に変換するよう、後述する変換サーバ３０に要求する部分である。より具体的には、変換要求部１８は、データ受信部１０から受信画像データを受け取ると、後述する設定情報格納部１９を参照する。変換要求部１８は、設定情報格納部１９に形式情報が格納されている場合には、受信画像データを変換サーバ３０に出力する。そして、変換サーバ３０から、受信画像データの形式を変換したものである変換後画像データを取得する。変換要求部１８は、取得した変換後画像データと、データ受信部１０から受け取った受信画像データとをデータ格納部２６に格納する。変換要求部１８は、設定情報格納部１９に形式情報が格納されていない場合には、データ受信部１０から受け取った受信画像データをデータ格納部２６に格納する。変換要求部１８は、画像データを格納した旨を送信部２０に対して通知する。
【００２３】
また、変換要求部１８は、形式判断部１６から送信形式情報を受け取る。送信形式情報を受け取った変換要求部１８は、送信形式情報の示す形式に準拠した受信画像データ又は変換後画像データを、データ格納部２６から検索する。送信形式情報の示す形式に準拠したものがデータ格納部２６から検索された場合には、これを送信画像データとして送信部２０に出力する。一方、送信形式情報の示す形式に準拠したものがデータ格納部２６から検索されなかった場合には、送信形式情報の示す形式に変換するよう、変換サーバ３０に要求する。そして、変換サーバ３０から変換後画像データを取得する。変換要求部１８は、この変換後画像データを送信画像データとして送信部２０に出力する。
【００２４】
変換サーバ３０は、変換要求部１８による要求に応じて、受信画像データを準拠する形式とは異なる形式に変換する部分である。より具体的には、変換サーバ３０は、変換要求部１８から受信画像データを受信した場合には、設定情報格納部１９に格納されている形式情報の示す形式に、受信画像データを変換する。変換サーバ３０は、変換して得られた画像データを変換後画像データとし、この変換後画像データを変換要求部１８に出力する。
【００２５】
図３は、設定情報格納部１９に格納された情報の例を示す図である。設定情報格納部１９は、書き換え可能なファイルであり、画像データを受信した段階で変換すべき形式の形式情報を格納している。図３に示す例によれば、形式情報「形式Ｆ１」及び「形式Ｆ３」が格納されている。
【００２６】
設定情報格納部１９は、管理者が操作する書換部２８によって図３に示すような設定がなされる。また、書換部２８は、設定情報格納部１９に設定した形式情報の書き換えも行う。書換部２８は、例えば、図３に示す設定を行った数ヶ月後、形式Ｆ２の画像データを表示可能な機種Ｄの端末利用者が大幅に増加した場合には、設定情報格納部１９に形式情報「形式Ｆ２」を追加する。これにより、機種Ａの端末利用者における画像データ配信までの待ち時間を短くすることができる。一方、形式Ｆ１の画像データを表示可能な機種Ａの端末利用者が大幅に減少した場合には、設定情報格納部１９から形式情報「形式Ｆ１」を削除する。これにより、後述のデータ格納部２６に格納するデータ量を少なくすることができる。また、通信トラフィック量が増加し、所定の条件（例えば、画像データの送信要求を受け付け後、３秒以内に送信先端末３に画像データを送信するといった条件）を満たせない場合には、全ての形式に関する形式情報を設定情報格納部１９に格納することもできる。このように設定情報格納部１９は、書換部２８よる書き換えが可能となっている。
【００２７】
また、変換サーバ３０は、送信形式情報の示す形式に変換するよう変換要求部１８から要求された場合には、データ格納部２６から受信画像データを選択する。そして、この受信画像データを送信形式情報の示す形式に変換し、変換後画像データを取得する。変換サーバ３０は、変換後画像データを変換要求部１８に出力する。
【００２８】
送信部２０は、メール送信部２２とデータ送信部２４とを有している。
【００２９】
メール送信部２２は、送信先端末３に対して電子メールを送信する部分である。より具体的には、メール送信部２２は、画像データを格納した旨の通知を変換要求部１８から受け取ると、画像取り出し用メールを生成する。この画像取り出し用メールに画像データは添付されておらず、代わりにＵＲＬが含まれている。かかるＵＲＬはデータ格納部２６における受信画像データ及び変換後画像データの格納場所を示している。メール送信部２２は、生成した画像取り出し用メールを送信先端末３に送信する。送信先端末３のユーザは、画像取り出し用メールを確認後、ＵＲＬにアクセスすることによって画像をディスプレイに表示することができる。
【００３０】
データ送信部２４は、送信先端末３に対して画像データを送信する部分である。データ送信部２４は、変換要求部１８から送信画像データを受け取る。そして、受け取った送信画像データを送信先端末３に対して送信する。
【００３１】
続いて、本実施形態における画像送信システム１の動作及び画像送信方法を説明する。まず、送信元端末２から画像データを受信した場合について説明する。図４は、このような場合のフローチャートである。
【００３２】
画像送信システム１の設定情報格納部１９には、画像データを受信した段階で変換すべき形式の形式情報が格納されている。画像送信システム１のデータ受信部１０は、送信元端末２から画像データを受信し、受信した画像データを受信画像データとする（ステップＳ１）。データ受信部１０は、受信画像データを変換要求部１８に出力する。
【００３３】
変換要求部１８は、データ受信部１０から受信画像データを受け取る。変換要求部１８は、設定情報格納部１９を参照し（ステップＳ２）、設定情報格納部１９に形式情報が格納されているか否かを判断する（ステップＳ３）。設定情報格納部１９に形式情報が格納されている場合には、変換要求部１８は、受け取った受信画像データの形式を変換するよう変換サーバ３０に要求する。変換サーバ３０は、設定情報格納部１９に格納された形式情報が示す形式に受信画像データを変換して、変換後画像データを取得する（ステップＳ４）。そして、取得した変換後画像データを変換要求部１８に出力する。変換要求部１８は、受信画像データと変換後画像データとをデータ格納部２６に格納する（ステップＳ５）。一方、設定情報格納部１９に形式情報が格納されていない場合には、変換要求部１８は、データ受信部１０から受け取った受信画像データをデータ格納部２６に格納する（ステップＳ６）。変換要求部１８は、画像データを格納した旨を送信部２０に対して通知する。
【００３４】
画像データを格納した旨の通知を変換要求部１８から受け取った送信部２０のメール送信部２２は、ＵＲＬを含む画像取り出し用メールを生成する（ステップＳ７）。このＵＲＬは、受信画像データ及び変換後画像データの格納場所を示すものである。メール送信部２２は、生成した画像取り出し用メールを送信先端末３に送信する（ステップＳ８）。
【００３５】
続いて、送信先端末３から送信画像データの送信要求を受けた場合について説明する。図５は、このような場合のフローチャートである。
【００３６】
上述したようにして送信された画像取り出し用メールは、送信先端末３のディスプレイに表示される。画像を見たいユーザは、画像取り出し用メールに示されたＵＲＬにアクセスすべく、送信先端末３を操作する。この操作により、送信先端末３から画像送信システム１に対して送信画像データの送信要求が送信されることとなる。
【００３７】
要求受信部１４は、送信先端末３から送信画像データの送信要求を受信する（ステップＳ１０）。そして、この送信要求から送信先端末３の機種情報を取得する。要求受信部１４は、機種情報を形式判断部１６に出力する。
【００３８】
形式判断部１６は、要求受信部１４から機種情報を受け取る。そして、この機種情報から送信先端末３の機種を判別する（ステップＳ１１）。形式判断部１６は、形式情報格納部１３を参照し、判別した機種にて表示可能な形式の形式情報を特定する（ステップＳ１２）。形式判断部１６は、特定した形式情報を送信形式情報として変換要求部１８に出力する。
【００３９】
変換要求部１８は、送信形式情報を形式判断部１６から受け取る。変換要求部１８は、送信画像データの候補である受信画像データ及び変換後画像データのデータ格納部２６における格納場所を特定する。そして、かかる格納場所を検索し（ステップＳ１３）、この格納場所に格納されている受信画像データ及び変換後画像データのなかに、送信形式情報の示す形式に準拠したものがあるか否かを判断する（ステップＳ１４）。
【００４０】
送信形式情報の示す形式に準拠した受信画像データ又は変換後画像データがデータ格納部２６に格納されている場合には、変換要求部１８は、その受信画像データ又は変換後画像データを選択し、送信画像データとして送信部２０に出力する（ステップＳ１５）。送信部２０のデータ送信部２４は、変換要求部１８から出力された送信画像データを送信先端末３に対して送信する（ステップＳ１６）。
【００４１】
送信形式情報の示す形式に準拠した受信画像データ又は変換後画像データがデータ格納部２６に格納されていない場合には、変換要求部１８は、送信形式情報の示す形式に変換するよう、変換サーバ３０に要求する。変換サーバ３０は、データ格納部２６に格納されている受信画像データを選択し、これを送信形式情報の示す形式に変換して新たに変換後画像データを取得する（ステップＳ１７）。変換サーバ３０は、新たに取得した変換後画像データを変換要求部１８に出力する。変換要求部１８は、変換サーバ３０から受け取った変換後画像データを送信画像データとし、かかる送信画像データを送信部２０に出力する（ステップＳ１８）。送信部２０のデータ送信部２４は、変換要求部１８から送信画像データを受け取り、この送信画像データを送信先端末３に対して送信する（ステップＳ１６）。
【００４２】
本実施形態の作用効果について説明する。上述のように、画像送信システム１では、画像データ受信時に変換を行うべき形式の形式情報を、設定情報格納部１９に格納しておく。データ受信部１０が送信元端末２から画像データを受信すると、変換サーバ３０がこの画像データを設定情報格納部１９に格納された形式に変換し、変換後の画像データと受信した画像データとをデータ格納部２６に格納する。その後、要求受信部１４が画像データの送信要求を送信先端末３から受け付けると、形式判断部１６が送信先端末３にて表示可能な画像データの形式を判断する。変換サーバ３０は、この形式の画像データがデータ格納部２６に格納されている場合には、これを取得し、送信画像データとして送信部２０に出力する。一方、送信先端末３にて表示可能な形式の画像データがデータ格納部２６に格納されていない場合には、送信元端末２から受信した画像データをかかる形式に変換し、変換後の画像データを送信画像データとして送信部２０に出力する。したがって、設定情報格納部１９に格納されている形式については、送信先端末３から送信要求を受ける前に変換しておくことができ、設定情報格納部１９に格納されていない形式については、送信先端末から送信要求を受け付けた後に変換することができる。このように、受信した画像データを常に受信時に変換する必要がなくなるので、変換後の画像データを格納するメモリあるいはディスクを有効に利用することができる。また、画像データの形式によっては、送信先端末３から送信要求を受ける前に画像データの変換を行っておくので、送信先端末３のユーザに常に長い待ち時間を強いる、といったことがなくなる。
【図面の簡単な説明】
【００４３】
【図１】画像送信システムの構成を説明するための図である。
【図２】形式情報格納部に格納された情報の例を示す図である。
【図３】設定情報格納部に格納された情報の例を示す図である。
【図４】送信元端末から画像データを受信した場合のフローチャートである。
【図５】送信先端末から画像データの送信要求を受けた場合のフローチャートである。
【符号の説明】
【００４４】
１…画像送信システム、２…送信元端末、３…送信先端末、１０…データ受信部、１３…形式情報格納部、１４…要求受信部、１６…形式判断部、１８…変換要求部、１９…設定情報格納部、２０…送信部、２６…データ格納部、２８…書換部、３０…変換サーバ。
【図１】
2006148590.tif 000003
【図２】
2006148590.tif 000004
【図３】
2006148590.tif 000005
【図４】
2006148590.tif 000006
【図５】
2006148590.tif 000007